(57)【要約】【課題】  雨水の侵入を防ぐ保護カバー等を不要として、コストの低減を図れるとともに、簡素な構造で、防風、防水機能を備えた屋外設置収容箱を提供することを目的とする。【解決手段】  前面扉３側縁部に、内側に折曲された前面扉フランジ３ｂを形成し、更に、同前面扉フランジ３ｂの内壁面に、防水用パッキン８を貼着する。ケース２の左側日除板５を断面コ字状に形成し、前記ケース２の側縁部に、外側に折曲されたケースフランジ２ｂを形成し、前記前面扉を閉めた際、前記ケースフランジ２ｂが前記防水用パッキン８に密着するよう構成する。前記前面扉３を閉めた際、前記前面扉フランジ３ｂの先端部が、前記左側日除板５のフランジ５ａに近接し、閉じられることにより、前記前面扉内３への雨水の侵入を極力防止し、前記ケースフランジ２ｂが前記防水用パッキン８に密着する構造により前記ケース２内部への侵入を妨げる。【選択図】図３
2008066434.tif 000002
【特許請求の範囲】
【請求項１】
前面が開放されたケースと、同ケースの開放された前面に開閉自在に軸支される前面扉と、前記ケースの周囲に、所定距離、離間して設けられた日除板と、前記ケース側面部の日除板のケース前面側に形成されたフランジと、前記前面扉の開放側側縁部に形成された前面扉フランジと、前記ケースの前面側縁部に形成されたケースフランジと、同ケースフランジ、もしくは前記前面扉内壁面に装着されたパッキンとからなり、
前記前面扉と前記ケースフランジとが前記防水用パッキンにより密着するようにして遮水する第一遮水手段を設けた屋外設置収容箱において、
前記前面扉フランジと前記フランジとが近接するようにして遮水する第二遮水手段を設けたことを特徴とする屋外設置収容箱。
【発明の詳細な説明】
【技術分野】
【０００１】
本発明は、市町村防災無線システム等に使用される屋外設置収容箱に係わり、より詳細には、耐熱性とともに、防水性を向上させた構成に関する。
【背景技術】
【０００２】
市町村防災無線システム等に使用され、屋外の電柱あるいは支柱等に設置される従来の屋外設置収容箱４０は、例えば、図４（Ａ）で示す正面図、及び図４（Ｂ）で示す側面図のように構成されている。同屋外設置収容箱４０は、前面が開放された金属性のケース４１と、開放された前面に、ヒンジ等により開閉自在に設けられる前面扉４２とからなり、前記ケース４１内部には、送信機、受信機及び電源等が収容されるようになっている。
【０００３】
前記屋外設置収容箱４０は、屋外に設置されて風雨に晒されるため、図４（Ａ）のＢ−Ｂ断面で切断した、断面Ｂ−Ｂ図で示すように、前記前面扉４２の側端部は内側に折曲されたフランジ部４２ａを形成し、また、同フランジ部４２ａの折曲部近傍内壁面に防水パッキン４３を貼着している。前記ケース４１の側端部は、前記フランジ部４２ａの折曲部内側に入り込むように外側に折曲されたフランジ部４１ａを形成し、前記前面扉４２を閉めた際、同フランジ部４１ａの前面側が前記防水パッキン４３に密着するようになっている。これにより、風雨に晒されても、前記ケース４１内部への雨水等の侵入を防止し、内部に収容された送信機、受信機及び電源等の電子機器を保護するようになっている。
【０００４】
しかしながら、前記屋外設置収容箱４０は、長期間使用されることにより、前記ケース４１部材の多少の変形、あるいは前記防水パッキン４３の腐食等が生じ、激しい風雨に晒されると、内部に雨水等が侵入し、収容された電子機器に支障を発生させるようなことがあった。このため、例えば、図４（Ｃ）で示す正面図、及び図４（Ｄ）で示す側面図のような、後面が開放された方形状の保護カバー４４を、断面図で示すように、前記屋外設置収容箱４０の前面側から被せ、前記前面扉４２と、前記ケース４１の接触部からの雨水の侵入等を防止するようにしていた。このため、前記保護カバー４４を設ける新たな費用が発生するとともに、災害発生等の緊急時に、前記前面扉４２を開放して緊急連絡を行う作業に、前記保護カバー４４が妨げとなる虞があり、改善が求められていた。
【０００５】
他の屋外設置収容箱として、例えば、特許文献１に開示されているように、排気口を設けた天井面から離間して天井板を設けるとともに、排気口に垂直部と水平部とからなる堰を設け、また、天井板の四則周囲に下方に垂下する折り返し部を設けることにより、雨風の侵入を極力防止する技術が提示されているが、構造がやや複雑となる難点があり、より簡易な防風、防水構造が求められていた。
【特許文献１】特開２００４−３１９５３９号
【発明の開示】
【発明が解決しようとする課題】
【０００６】
本発明は、上記問題点に鑑み、雨水の侵入を防ぐ保護カバー等を不要として、コストの低減を図れるとともに、簡素な構造で、防風、防水機能を備えた屋外設置収容箱を提供することを目的とする。
【課題を解決するための手段】
【０００７】
本発明は、上記課題を解決するため、前面が開放されたケースと、同ケースの開放された前面に開閉自在に軸支される前面扉と、前記ケースの周囲に、所定距離、離間して設けられた日除板と、前記ケース側面部の日除板のケース前面側に形成されたフランジと、前記前面扉の開放側側縁部に形成された前面扉フランジと、前記ケースの前面側縁部に形成されたケースフランジと、同ケースフランジ、もしくは前記前面扉内壁面に装着されたパッキンとからなり、前記前面扉と前記ケースフランジとが前記防水用パッキンにより密着するようにして遮水する第一遮水手段を設けた屋外設置収容箱において、前記前面扉フランジと前記フランジとが近接するようにして遮水する第二遮水手段を設けた構成となっている。
【発明の効果】
【０００８】
本発明によると、前面が開放された金属性のケースと、開放された前面に開閉自在に軸支される前面扉とから屋外設置収容箱を構成し、周囲に複数の日除板を設ける一方、前記前面扉と前記ケースの接触面側となる、前面扉の側縁部に、内側に折曲された前面扉フランジを上端から下端にかけて形成し、更に、同前面扉フランジの折曲部内壁面に、ゴム材等からなる防水用パッキンを貼着する。前記ケースの左側面に設けられる左側日除板を断面コ字状に形成し、前記ケースの側縁部に、外側に折曲されたケースフランジを上端から下端にかけて形成し、前記前面扉を閉めた際、前記ケースフランジが前記防水用パッキンに密着するよう構成することにより、前記前面扉を閉めた際、前記前面扉フランジの先端部が、前記左側日除板のフランジに接触するように近接し、微小な隙間を残して閉じられることにより、前方からの風雨のみならず、側面から風雨を受けても前記前面扉内への雨水の侵入を、第一段階として極力防止することができるようになっている。更に、隙間から内部に侵入した雨水は、第二段階として、前記ケースフランジが前記防水用パッキンに密着する構造により、電子機器が配設された前記ケース内部への侵入を妨げられるようになっている。更に、前記左側日除板が、雨水の侵入を防止する遮水機能の一部を兼ね備えることにより、より簡素な構成で、日除機能と遮水機能とを備えた屋外設置収容箱とすることができるようになっている。
【発明を実施するための最良の形態】
【０００９】
以下、本発明の実施の形態を、添付図面に基づいた実施例として詳細に説明する。
【実施例１】
【００１０】
図１は、本発明による屋外設置収容箱の外観斜視図であり、図２は、その正面図、側面図及び平面図である。また、図３は要部断面図である。
【００１１】
本発明による屋外設置収容箱１は、図１の外観斜視図で示すように、底板と、左右側面板と、背面板と、上面板とから方形状に形成され、前面が開放された金属性のケース２と、同ケース２の開放された前面の一側に備えられたヒンジにより開放自在に軸支された前面扉３とからなっている。
【００１２】
前記前面扉３には、前面に突出したハンドル１０ａと、同ハンドル１０ａに連結され後面に突出したロック部１０ｂとが設けられ、また、同屋外設置収容箱１の周囲には、内部に収容された電子機器等を温度上昇から保護するべく、直射日光をさえぎる日除板が設けられている。
【００１３】
前記屋外設置収容箱１は市町村防災無線システム等に使用され、屋外の電柱あるいは、指定箇所に立設された支柱等に設置されるようになっており、前記ケース２内部には、中央局と連絡を行うための送信機、受信機、これらに電力を供給する電源機器及び、付随機器等が収容されるようになっている。災害発生時、あるいは緊急時等には、係員は、前記前面扉３を開け、内部に備えられた送信機、受信機により、中央局から指令、連絡を受けたり、あるいは、連絡事項を無線通信により送信するようになっている。
【００１４】
前記屋外設置収容箱１は、図２（Ａ）の正面図、図２（Ｂ）の側面図及び図２（Ｃ）の上面図で示すように、前記前面扉３の前面側に、所定距離、離間して平板状の前面側日除板４が設けられており、同前面側日除板４は両側縁から内側に向かい折曲された複数の支持梁を前記前面扉３の外面に螺着されることにより同前面扉３に固定されるようになっている。前記ケース２の上面板の上方には、同様に、前方に向かい傾斜した上面日除板７が前記ケース２の上面から所定距離、離間して設けられ、また、前記ケース２の右側面には、前記前面側日除板４と、ほぼ同形状の右側日除板６が設けられている。
【００１５】
前記ケース２の左側面にも左側日除板５が設けられ、同左側日除板５は、前記右側日除板６と形状が異なり、断面コ字状に形成され、前面側に上端から下端に掛けてフランジ５ａを設けている。また、図２（Ｃ）の上面図で示すように、上面と下面とが開放されるように、前記ケース２に螺着されるようになっている。
【００１６】
前記前面扉３と前記ケース２の接触面となる、図２（Ａ）のＡ−Ａ断面は、図３で示すように構成されている。前記前面側日除板４は螺子２０により前記前面扉３に螺着され、同前面扉３の側縁部には、内側に折曲された前面扉フランジ３ｂが上端から下端にかけて形成されており、更に、同前面扉フランジ３ｂの内壁面には、ゴム材等からなる方形状に形成された防水用パッキン８が貼着されている。
【００１７】
断面コ字状に形成された前記左側日除板５は、螺子２０により前記ケース２の左側面に螺着され、前記ケース２の側縁部には、外側に折曲されたケースフランジ２ｂが上端から下端にかけて形成されており、同ケースフランジ２ｂは、前記前面扉３を閉めた際、前記防水用パッキン８に密着するようになっている。
【００１８】
次に、上記した構成の効果について説明する。前記前面扉３を閉めた際、同前面扉３に形成された前面扉フランジ３ｂの先端部が、前記左側日除板５のフランジ５ａに接触するように近接し、微小な隙間９を残して閉じられるか、あるいは密着して閉じられることにより、前方からの風雨のみならず、側面から風雨を受けても前記前面扉３内への雨水の侵入を、第一段階として極力防止することができるようになっている。それでも前記隙間９から内部に侵入した雨水は、第二段階として、前記ケースフランジ２ｂが前記防水用パッキン８に密着する構造により、電子機器が配設された前記ケース２内部への侵入を妨げられるようになっており、これら二段階の遮水構造により極力防水性を高めることができるようになっている。
【００１９】
更に、前記左側日除板５が、雨水の侵入を防止する遮水機能の一部を兼ね備えることにより、より簡素な構成で、日除機能と遮水機能とを備えた屋外設置収容箱とすることができるようになっている。
【図面の簡単な説明】
【００２０】
【図１】本発明による屋外設置収容箱の外観斜視図である。
【図２】本発明による屋外設置収容箱の正面図、側面図及び平面図である。
【図３】前面扉とケースとの接触部を示す要部断面図である。
【図４】従来例による屋外設置収容箱と保護ケースとを示す図である。
【符号の説明】
【００２１】
１  屋外設置収容箱
２  ケース
２ｂ  ケースフランジ
３  前面扉
３ｂ  前面扉フランジ
４  前面側日除板
５  左側日除板５
５ａ  フランジ
６  右側日除板
７  上面日除板
８  防水用パッキン
９  隙間
１０ａ  ハンドル
１０ｂ  ロック部
２０  螺子
【図１】
2008066434.tif 000003
【図２】
2008066434.tif 000004
【図３】
2008066434.tif 000005
【図４】
2008066434.tif 000006